(57)【特許請求の範囲】
【請求項１】
内容物が収容される容器本体の口部に装着されると共に、前記内容物を振り出すための振り出し口が形成されたキャップ本体と、
前記振り出し口を開閉させる開閉蓋と、が備えられ、
前記キャップ本体の頂壁部において、前半部分に前記振り出し口が形成されると共に、後半部分に前壁部、底壁部および左右一対の側壁部により画成され後方に向けて開放された凹欠き部が形成され、
この凹欠き部の両側端部に、前記前壁部と、前記側壁部と、前記底壁部に立設され前記前壁部に対向する後壁部と、により画成された軸受凹部が配設され、
前記開閉蓋において前記凹欠き部を覆う後半部分の両側端部に、前記凹欠き部内に向けて支持片が突設されると共に、この支持片に前記軸受凹部内に嵌入される軸部が設けられた振り出しキャップであって、
前記側壁部及びこの側壁部に当接する前記軸部の外側端面のうちのいずれか一方には、他方に向けて位置決め凸部が突設されると共に、他方には、前記開閉蓋を開いたときに前記位置決め凸部が進入する第１の位置決め穴、及び前記開閉蓋を閉じたときに前記位置決め凸部が進入する第２の位置決め穴が形成されていることを特徴とする振り出しキャップ。
【請求項２】
請求項１に記載の振り出しキャップにおいて、
前記底壁部において前記軸受凹部内に位置する部分には、前記軸部を支持する支持突部が突設され、この支持突部と前記前壁部及び前記後壁部との間に隙間が設けられていることを特徴とする振り出しキャップ。
【発明の詳細な説明】
【技術分野】
【０００１】
本発明は、例えば粉状あるいは顆粒状の内容物が収容された容器本体に装着されて用いられ、振る動作によって内容物が振り出し口から振り出される振り出しキャップに関するものである。
【背景技術】
【０００２】
この種の振り出しキャップとして、例えば下記特許文献１に示されるように、内容物が収容される容器本体の口部に装着されると共に、前記内容物を振り出すための振り出し口が形成されたキャップ本体と、前記振り出し口を開閉させる開閉蓋と、が備えられ、前記キャップ本体の頂壁部において、前半部分に前記振り出し口が形成されると共に、後半部分に前壁部、底壁部および左右一対の側壁部により画成され後方に向けて開放された凹欠き部が形成され、この凹欠き部の両側端部に、前記前壁部と、前記側壁部と、前記底壁部に立設され前記前壁部に対向する後壁部と、により画成された軸受凹部が配設され、前記開閉蓋において前記凹欠き部を覆う後半部分の両側端部に、前記凹欠き部内に向けて支持片が突設されると共に、この支持片に前記軸受凹部内に嵌入される軸部が設けられた構成が知られている。
この振り出しキャップにおいては、軸部を軸受凹部内で回転させて開閉蓋をキャップ軸方向の外側に向けて回動させることにより振り出し口が開放されるようになっている。
【特許文献１】実公平１−８５２５号公報
【発明の開示】
【発明が解決しようとする課題】
【０００３】
しかしながら、前記従来の振り出しキャップでは、内容物を振り出しているときに、この内容物の一部が軸受凹部内に進入し、側壁部と、この側壁部に当接する軸部の外側端面との間に入り込んで滞留することにより、軸部が軸受凹部内で回転し難くなり、開閉蓋の良好な開閉操作が阻害されるおそれがあった。
【０００４】
本発明は、このような事情を考慮してなされたもので、側壁部と、この側壁部に当接する軸部の外側端面との間に内容物が入り込んで滞留するのを抑制することができる振り出しキャップを提供することを目的とする。
【課題を解決するための手段】
【０００５】
上記課題を解決するために、この発明は以下の手段を提案している。
本発明に係る振り出しキャップは、内容物が収容される容器本体の口部に装着されると共に、前記内容物を振り出すための振り出し口が形成されたキャップ本体と、前記振り出し口を開閉させる開閉蓋と、が備えられ、前記キャップ本体の頂壁部において、前半部分に前記振り出し口が形成されると共に、後半部分に前壁部、底壁部および左右一対の側壁部により画成され後方に向けて開放された凹欠き部が形成され、この凹欠き部の両側端部に、前記前壁部と、前記側壁部と、前記底壁部に立設され前記前壁部に対向する後壁部と、により画成された軸受凹部が配設され、前記開閉蓋において前記凹欠き部を覆う後半部分の両側端部に、前記凹欠き部内に向けて支持片が突設されると共に、この支持片に前記軸受凹部内に嵌入される軸部が設けられた振り出しキャップであって、前記側壁部及びこの側壁部に当接する前記軸部の外側端面のうちのいずれか一方には、他方に向けて位置決め凸部が突設されると共に、他方には、前記開閉蓋を開いたときに前記位置決め凸部が進入する第１の位置決め穴、及び前記開閉蓋を閉じたときに前記位置決め凸部が進入する第２の位置決め穴が形成されていることを特徴とするものである。
【０００６】
本発明の振り出しキャップによれば、開閉蓋を開姿勢と閉姿勢との間で移動させるときに、位置決め凸部が、まず、第１の位置決め穴及び第２の位置決め穴のうちのいずれか一方から、側壁部上若しくは軸部の外側端面上に乗り上げ、その後、側壁部上若しくは軸部の外側端面上に摺接しながら第１の位置決め穴及び第２の位置決め穴のうちのいずれか他方に向けて移動することになる。
この過程において、位置決め凸部が側壁部上若しくは軸部の外側端面上に乗り上げたときに、支持片が左右方向の内側に向けて撓むことで、側壁部と軸部の外側端面との間に隙間が形成されることにより、側壁部と軸部の外側端面との間に入り込んだ内容物や、軸部の外周面上に溜まっていた内容物を、前記隙間を通して落下させることが可能になる。
以上より、内容物を振り出しているときに、この内容物の一部が側壁部と軸部の外側端面との間に入り込んで、軸部が軸受凹部内で回転し難くなるのを抑えることができる。
【０００７】
また、本発明に係る振り出しキャップでは、前記底壁部において前記軸受凹部内に位置する部分には、前記軸部を支持する支持突部が突設され、この支持突部と前記前壁部及び前記後壁部との間に隙間が設けられていることが好ましい。
【０００８】
この場合、軸部を支持する支持突部が、前壁部及び後壁部との間に隙間を設けて突設されているので、前述のように軸部の外側端面と軸受凹部の側壁部との間に形成された隙間を通して落下した内容物を支持突部上に滞留させることなく速やかに落下させ易くすることが可能になる。
したがって、内容物が軸部と支持突部との間で噛み込まれるのを抑制することが可能になり、開閉蓋の良好な開閉操作を確実に維持することができる。
【発明の効果】
【０００９】
本発明に係る振り出しキャップによれば、軸受凹部の側壁部と、この側壁部に当接する軸部の外側端面との間に内容物が入り込んで滞留するのを抑制することができる。
【発明を実施するための最良の形態】
【００１０】
以下、図面を参照し、この発明の実施の形態について説明する。本実施形態に係る振り出しキャップ１０は、例えば粉状あるいは顆粒状の内容物が収容される容器本体の口部に装着されるとともに、内容物を振り出すための振り出し口１１が形成されたキャップ本体１２と、振り出し口１１を開閉させる開閉蓋３０と、が備えられている。
キャップ本体１２は、有頂円筒状に形成され、その頂壁部１２ａにおいて、前半部分に振り出し口１１が多数形成されるとともに、後半部分に前壁部１７、底壁部１６および左右一対の側壁部１８により画成され後方に向けて開放された凹欠き部１５が形成されている。
【００１１】
以下、キャップ本体１２がその上面視で呈する円形状の中心を通りかつ頂壁部１２ａに直交するキャップ軸Ｏに沿って、頂壁部１２ａ側を上側、周壁部１２ｂの開放端側を下側という。
なお図示の例では、凹欠き部１５の底壁部１６における後端部１６ａは、後方に向かうに従い漸次下方に向けて延びる傾斜面となっている。
【００１２】
凹欠き部１５において底壁部１６と前壁部１７との接続部分には、左右方向Ａに長い直方体状に形成された段部１９が設けられている。
また、凹欠き部１５の底壁部１６には、段部１９の後面における左右方向Ａの両端から後方に向けて延びる一対の補助壁部２０、２０が立設されている。
そして、段部１９の左右方向Ａにおける両端面１９ａ、１９ａ、および補助壁部２０、２０と、左右一対の側壁部１８、１８との間にはそれぞれ、図２に示されるように隙間が設けられている。
【００１３】
さらに、凹欠き部１５の前壁部１７において、左右一対の側壁部１８、１８と段部１９の両端面１９ａ、１９ａとの間に位置する各部分には、凹欠き部１５の底壁部１６から上方に向けて延びる前側軸受壁部（前壁部）２１が突設されている。
また、左右一対の側壁部１８、１８それぞれにおいて、補助壁部２０の後端部に左右方向Ａで対向する位置に、凹欠き部１５の底壁部１６から上方に向けて延在し、前側軸受壁部２１に前後方向Ｂで対向する後側軸受壁部（後壁部）２２が突設されている。
【００１４】
以上より、凹欠き部１５の両側端部に、前側軸受壁部２１、側壁部１８、及び後側軸受壁部２２により画成された軸受凹部２３が配設されている。
【００１５】
なお、図３に示されるように、前側軸受壁部２１および後側軸受壁部２２それぞれにおいて、互いに対向する対向面２１ｂ、２２ｂにおける上下方向の中間部分には、上下方向に沿う凹曲面状の窪み部２１ａ、２２ａが形成されている。また、各対向面２１ｂ、２２ｂは、これらの両軸受壁部２１、２２の前後方向Ｂの大きさが左右方向Ａの外側から内側に向かうに従い漸次小さくなるように傾斜している。
【００１６】
また、本実施形態では、凹欠き部１５の底壁部１６において、軸受凹部２３の内側に位置する部分には、開閉蓋３０の後述する軸部３１を下側から支持する支持突部２５が突設されている。なお、支持突部２５は、前側軸受壁部２１及び後側軸受壁部２２との間に前後方向Ｂに隙間２６、２６をあけて突設されている。以下、この隙間２６、２６を第１の隙間２６と称する。
【００１７】
開閉蓋３０は、図１、図４（ａ）及び図４（ｂ）に示されるように、上面視前後方向Ｂに長い長方形状に形成された蓋板３２と、この蓋板３２においてキャップ本体１２の凹欠き部１５を覆う後半部分の下面に凹欠き部１５内に向けて突設された一対の支持片３３、３３と、この支持片３３、３３に設けられ軸受凹部２３内に嵌入される軸部３１、３１と、を備えている。
【００１８】
図示の例では、蓋板３２においてキャップ本体１２の振り出し口１１を覆う前半部分の下面には、多数の栓片３４が突設されており、これらの栓片３４が多数の振り出し口１１内に各別に離脱可能に嵌合されている。
一対の支持片３３、３３は、蓋板３２の前記後半部分における下面に、左右方向Ａに互いに間隔をあけて設けられている。また、これらの支持片３３、３３は、表裏面が左右方向Ａに向くように配設された板状体となっている。
【００１９】
軸部３１は、この支持片３３において左右方向Ａの外側を向く表面の下端に連結されて、支持片３３の下端から下方に膨出している。また、軸部３１は、左右方向Ａの内側から外側に向けて縮径する円錐台状に形成され、その外側端面３１ａが側壁部１８に当接するとともにその軸線が左右方向Ａに沿って延びるように配設されている。
【００２０】
以上の構成において、開閉蓋３０は、軸部３１が、その径方向外側から、前側軸受壁部２１および後側軸受壁部２２の各窪み部２１ａ、２２ａと、支持突部２５の上面と、により、上下方向および前後方向Ｂの各移動が規制された状態でその軸線回りに回転自在に支持されてキャップ本体１２に装着されている。
【００２１】
そして、図４（ａ）に示すように、本実施形態では、軸部３１には、左右方向Ａの外側、つまり側壁部１８に向けて位置決め凸部３５が突設されている。図示の例では、位置決め凸部３５は、左右方向Ａの内側から外側に向けて漸次縮径している。
【００２２】
更に、側壁部１８において軸受凹部２３内に位置する部分（以下、軸受凹部２３の側壁部１８と称する）には、図３に示すように、開閉蓋３０を開いたときに位置決め凸部３５が進入する第１の位置決め穴２８、及び開閉蓋３０を閉じたときに位置決め凸部３５が進入する第２の位置決め穴２９が形成されている。詳しく説明すると、第１の位置決め穴２８及び第２の位置決め穴２９は、軸受凹部２３の側壁部１８の下側に前後方向Ｂに間隔を空けて形成されている。第１の位置決め穴２８は、第２の位置決め穴２９より前後方向Ｂの前側に配置されている。
【００２３】
また、本実施形態では、段部１９および補助壁部２０と、前側軸受壁部２１、後側軸受壁部２２及び支持突部２５との間には、隙間２７が設けられている。以下、この隙間２７を第２の隙間２７と称する。第２の隙間２７は、前側軸受壁部２１及び後側軸受壁部２２と、支持突部２５との間の第１の隙間２６に、左右方向Ａで連通している。
【００２４】
以上のように形成された振り出しキャップ１０によれば、開閉蓋３０を開くときに、位置決め凸部３５が、まず、第２の位置決め穴２９から側壁部１８上に乗り上げ、その後、側壁部１８上に摺接しながら第１の位置決め穴２８に向けて移動することになる。
この過程において、位置決め凸部３５が側壁部１８上に乗り上げたときに、支持片３３が左右方向Ａの内側に向けて撓むことで、側壁部１８と軸部３１の外側端面３１ａとの間に隙間が形成されることにより、側壁部１８と軸部３１の外側端面３１ａとの間に入り込んだ内容物や、軸部３１の外周面上に溜まっていた内容物を、前記隙間を通して落下させることが可能になる。
また、開閉蓋３０を閉じるときも、位置決め凸部３５が、第１の位置決め穴２８から第２の位置決め穴２９に向けて移動する過程で、側壁部１８と軸部３１の外側端面３１ａとの間に隙間が形成され、前述と同様に内容物を落下させることが可能になる。
以上より、内容物を振り出しているときに、この内容物の一部が軸受凹部２３の側壁部１８と軸部３１の外側端面３１ａとの間に入り込んで、軸部３１が軸受凹部２３内で回転し難くなるのを抑えることができる。
【００２５】
また、支持突部２５と、前側軸受壁部２１及び後側軸受壁部２２との間に第１の隙間２６が設けられているので、前述のように軸部３１の外側端面３１ａと軸受凹部２３の側壁部１８との間に形成された隙間を通して落下した内容物を支持突部２５上に滞留させることなく速やかに、第１の隙間２６に落下させ易くすることが可能になる。
したがって、内容物が軸部３１と支持突部２５との間で噛み込まれるのを抑制することが可能になり、開閉蓋３０の良好な開閉操作を確実に維持することができる。
更に、段部１９及び補助壁部２０と、前側軸受壁部２１、後側軸受壁部２２及び支持突部２５との間に第２の隙間２７が設けられ、この第２の隙間２７が、第１の隙間２６に連通しているので、軸受凹部２３内に入り込んだ内容物を、その側壁部１８と軸部３１の外側端面３１ａとの間の隙間、第１の隙間２６及び第２の隙間２７を介して軸受凹部２３の外部に確実に排出することができる。
【００２６】
なお、本発明の技術的範囲は前記実施の形態に限定されるものではなく、本発明の趣旨を逸脱しない範囲において種々の変更を加えることが可能である。
例えば、上記実施形態では、側壁部１８に位置決め穴２８、２９が設けられ、軸部３１の外側端面３１ａに位置決め凸部３５が設けられているものとしたが、これに限られず、側壁部１８に位置決め凸部３５が設けられ、軸部３１の外側端面３１ａに位置決め穴２８、２９が設けられていても構わない。この場合、第１の位置決め穴２８は、第２の位置決め穴２９より前後方向Ｂの後側に配置されている。
【００２７】
また、上記実施形態では、段部１９及び補助壁部２０を形成したが、これらはなくても構わない。
【００２８】
また、上記実施形態では、支持突部２５を形成したが、支持突部２５はなくても構わない。
また、上記実施形態では、支持突部２５を、前側軸受壁部２１及び後側軸受壁部２２との間に前後方向Ｂに第１の隙間２６をあけて形成したが、第１の隙間２６を設けずに支持突部２５を形成しても構わない。
【００２９】
また、上記実施形態では、キャップ本体１２に多数の振り出し口１１を形成する一方、開閉蓋３０に多数の栓片３４を設けたが、これらの振り出し口１１および栓片３４は１つずつであってもよい。
【００３０】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３１】
軸受凹部の側壁部と、この側壁部に当接する軸部の外側端面との間に内容物が入り込んで滞留するのを抑制することができる。
【図面の簡単な説明】
【００３２】
【図１】本発明に係る一実施形態として示した振り出しキャップの縦断面図である。
【図２】図１に示す振り出しキャップのキャップ本体の上面図である。
【図３】図２に示すキャップ本体の斜視図である。
【図４】（ａ）は、図１に示す開閉蓋の側面図である。（ｂ）は、図１に示す開閉蓋の正面図である。
【符号の説明】
【００３３】
１０  振り出しキャップ
１１  振り出し口
１２  キャップ本体
１２ａ  頂壁部
１５  凹欠き部
１６  底壁部
１７  前壁部
１８  側壁部
２１  前側軸受壁部（前壁部）
２２  後側軸受壁部（後壁部）
２３  軸受凹部
２５  支持突部
２６  第１の隙間（隙間）
２８  第１の位置決め穴
２９  第２の位置決め穴
３０  開閉蓋
３１  軸部
３１ａ  外側端面
３３  支持片
３５  位置決め凸部
【図１】
0005055199.tif 000002
【図２】
0005055199.tif 000003
【図３】
0005055199.tif 000004
【図４】
0005055199.tif 000005